(57)【要約】【課題】部材の損傷等のおそれが少なく良好にグリスの供給作業を行えるようにすることが望まれていた。【解決手段】苗植付爪１７を支持する支持ケース２３の内部に、スライド移動に伴って苗植付爪１７から苗を押し出す苗押出し具２４と、苗押出し具２４をスライド移動させる移動操作機構２５とが備えられ、支持ケース２３の内部にグリスを注入するためのグリスニップル４４と、グリスの注入に伴って内部の空気を外方に排出する空気排出口４５とが備えられ、空気排出口４５を塞ぐとともに、グリスニップル４４を外方側から覆う閉状態と、空気排出口４５を開放するとともに、グリスニップル４４を外方に向けて開放する開状態とに切り換え可能な蓋部材４６が備えられている。【選択図】図４
2020202804.tif 000002
【特許請求の範囲】
【請求項１】
苗植付爪を支持する支持ケースの内部に、スライド移動可能に支持され且つスライド移動に伴って前記苗植付爪から苗を押し出す苗押出し具と、前記支持ケースの苗植え用の移動操作に伴って前記苗押出し具をスライド移動させる移動操作機構とが備えられ、
前記支持ケースの外方から内部に向けてグリスを注入するためのグリスニップルと、前記グリスの注入に伴って前記支持ケースの内部の空気を外方に排出する空気排出口とが備えられ、
前記空気排出口が前記グリスニップルの近傍に位置する状態で設けられ、
前記空気排出口を塞ぐとともに、前記グリスニップルを外方側から覆う閉状態と、前記空気排出口を開放するとともに、前記グリスニップルを外方に向けて開放する開状態とに切り換え可能な蓋部材が備えられている田植機の苗植付装置。
【請求項２】
前記移動操作機構に、前記苗押出し具を前記支持ケースから突出する側に付勢するコイルバネと、前記コイルバネに抗して前記苗押出し具を前記支持ケースに引き込む駆動機構とが備えられ、
前記グリスニップルが、前記支持ケースのうち前記コイルバネの一端部を受止める箇所に設けられ、
前記支持ケースの内部に、前記グリスニップルから前記コイルバネの配設部並びに前記駆動機構の配設部を通過して前記空気排出口に至るように空気抜き経路が形成されている請求項１に記載の田植機の苗植付装置。
【発明の詳細な説明】
【技術分野】
【０００１】
本発明は、田植機の苗植付装置に関する。
【背景技術】
【０００２】
苗植付装置は、苗植付爪を支持する支持ケースの内部に、スライド移動可能な苗押出し具と、支持ケースの苗植え用の移動操作に伴って苗押出し具を移動させて苗を押し出す駆動機構とが備えられている。
【０００３】
そして、従来では、苗押出し具の移動を円滑に行うために、グリスニップルを通して支持ケースの内部にグリスを供給する構成となっており、グリスの供給が行われるときには、グリスニップルとは別に形成された開口を通して内部の空気を抜き、グリスが供給された後は、蓋部材によって開口を閉塞するようにしたものがあった（例えば、特許文献１参照）。
【先行技術文献】
【特許文献】
【０００４】
【特許文献１】特開２０１０−１２４８０９号公報
【発明の概要】
【発明が解決しようとする課題】
【０００５】
上記従来構成では、グリスニップルを通して支持ケースの内部にグリスを供給する場合には、予め蓋部材を取り外しておく必要がある。しかし、蓋部材を取り外すことを忘れると、蓋部材によって開口を閉じたままグリスを供給することになる。その結果、支持ケースの内圧が高くなり、無理な力によって蓋部材や駆動機構が損傷するおそれがあった。
【０００６】
そこで、部材の損傷等のおそれが少なく良好にグリスの供給作業を行えるようにすることが望まれていた。
【課題を解決するための手段】
【０００７】
本発明に係る田植機の苗植付装置の特徴構成は、苗植付爪を支持する支持ケースの内部に、スライド移動可能に支持され且つスライド移動に伴って苗植付爪から苗を押し出す苗押出し具と、前記支持ケースの苗植え用の移動操作に伴って前記苗押出し具をスライド移動させる駆動機構とが備えられ、前記支持ケースの外方から内部に向けてグリスを注入するためのグリスニップルと、前記グリスの注入に伴って前記支持ケースの内部の空気を外方に排出する空気排出口とが備えられ、前記空気排出口が前記グリスニップルの近傍に位置する状態で設けられ、前記空気排出口を塞ぐとともに、前記グリスニップルを外方側から覆う閉状態と、前記空気排出口を開放するとともに、前記グリスニップルを外方に向けて開放する開状態とに切り換え可能な蓋部材が備えられている点にある。
【０００８】
本発明によれば、グリスを供給する場合には、蓋部材を開状態に切り換える必要がある。蓋部材が開状態であれば空気排出口も開放されているので、グリスニップルから支持ケース内にグリルを供給するときに、支持ケースの内圧は高くなることがない。グリス供給作業が終了して蓋部材を閉状態にすることで、空気排出口が塞がれる閉塞状態が維持される。
【０００９】
ところで、支持ケースの内圧が高くならないようにするために、開口を閉じるための蓋部材の構成として、例えば、閉じ付勢用のバネ体を備えない構成のオイルシール等のように支持ケースの内圧が所定以上になると、オイルシールからグリスや空気が漏れ出るようにする構成が考えられる。しかし、この構成では、支持ケースとしてのシール機能が充分でなく、通常使用時にグリスが漏れ出すおそれがある。これに対して、本発明では、蓋部材を閉状態に切り換えると、シール機能が良好となる。
【００１０】
従って、通常使用では良好なシール機能を発揮しながら、部材の損傷等のおそれが少ない状態で良好にグリスの供給作業を行うことが可能となった。
【００１１】
本発明においては、前記駆動機構に、前記苗押出し具を前記支持ケースから突出する側に付勢するコイルバネと、前記コイルバネに抗して前記押し出し具を前記支持ケースに引き込む駆動機構とが備えられ、前記グリスニップルが、前記支持ケースのうち前記コイルバネの一端部を受止める箇所に設けられ、前記支持ケースの内部に、前記グリスニップルから前記コイルバネの配設部並びに前記駆動機構の配設部を通過して前記空気排出口に至るように空気抜き経路が形成されていると好適である。
【００１２】
本構成によれば、支持ケース内にグリスを供給するとき、グリスが空気排出口に向けて短絡的に流動することを回避して、コイルバネ及び駆動機構に対して適正にグリルが作用する状態にすることができる。
【図面の簡単な説明】
【００１３】
【図１】乗用型田植機の全体側面図である。
【図２】苗植付装置の側面図である。
【図３】苗植付機構の縦断図である。
【図４】植付アームの縦断側面図である。
【図５】苗取りゲージの縦断側面図である。
【発明を実施するための形態】
【００１４】
以下、本発明に係る田植機の苗植付装置の実施の形態を図面に基づいて説明する。
図１は、本発明に係る苗植付装置が装備された乗用型田植機の全体を示す側面図である。図１に示すように、乗用型田植機は、前部側に左右一対の前車輪１，１が装備され、後部側に左右一対の後車輪２，２が装備された走行機体３を備えている。走行機体３の前部側にエンジン４が搭載され、走行機体３は、前車輪１及び後車輪２がエンジン４からの駆動力によって駆動されて自走するように構成されている。走行機体３の後部側に、運転座席５、前車輪１を操向操作するステアリングハンドル６及び運転ステップ７を備えた運転部８が備えられている。走行機体３の後部に、複数の苗植付機構９を備えた苗植付装置１０が連結されている。走行機体３の前部側に左右一対の予備苗貯留部１１が設けられている。
【００１５】
図２に示すように、苗植付装置１０は、角パイプ状の機体横向きのメインフレーム１２、このメインフレーム１２の機体横幅方向略中央部に連結されているフィードケース１３、メインフレーム１２に機体横幅方向に適宜間隔をあけて配置して連結されている複数の植付伝動ケース１４等により枠体が構成され、枠体の前部に苗のせ台１５が機体横幅方向に一定ストロークで往復横移動駆動される状態で備えられている。植付伝動ケース１４の後部の左右両側に苗植付機構９が駆動自在に支持されている。苗植付装置１０の下部には機体横幅方向に並ぶ複数の接地フロート１６が備えられている。
【００１６】
走行機体３の走行に伴って、走行機体３側から動力が供給されて、苗植付機構９に備えられた苗植付爪１７より、苗のせ台１５に載置されたマット状苗の一部（１株分）を切り出し、接地フロート１６により整地された後の圃場面に植え付けていくように構成されている。
【００１７】
苗植付機構９について説明する。
図３に示すように、苗植付機構９は、植付伝動ケース１４の横側部に機体横向きのロータ支軸１８を介して回転駆動可能に支持された機体側面視界でほぼ長方形の回転ケース１９と、回転ケース１９の両端部に各別に機体横向きのアーム支軸２０を介して回転駆動可能に支持された一対の植付アーム２１とを備えている。
【００１８】
回転ケース１９は、フィードケース１３から植付伝動ケース１４に入力される駆動力によってロータ支軸１８が回転駆動されることにより、ロータ支軸１８の機体横向きの軸芯Ｘ１まわりに回転駆動される。一対の植付アーム２１は、回転ケース１９が回転駆動されることにより、ロータ回転軸芯Ｘ１まわりに公転する。一対の植付アーム２１は、回転ケース１９に内装された遊星ギア式伝動機構２２がロータ支軸１８の駆動力によって駆動されてアーム支軸２０を回転駆動することにより、アーム支軸２０の機体横向き軸芯で成り、ロータ回転軸芯Ｘ１に平行なアーム回転軸芯Ｘ２まわりに回転ケース１９に対して自転するように回転駆動される。
【００１９】
図４に示すように、一対の植付アーム２１それぞれは、苗植付爪１７を支持する支持ケース２３の内部に、スライド移動可能に支持され且つスライド移動に伴って苗植付爪１７から苗を押し出す苗押出し具２４と、支持ケース２３の苗植え用の移動操作に伴って苗押出し具２４をスライド移動させる移動操作機構２５とが備えられている。
【００２０】
苗押出し具２４は、支持ケース２３のロッド支持部２６にスライド可能に支持された押出しロッド２７と、苗に対して押し出し作用する押出し操作部２８とを備えている。苗押出し具２４は、移動操作機構２５の操作により、押出し操作部２８が苗植付爪１７の先端側に位置した苗押出し位置と、押出し操作部２８が苗押出し位置から苗植付爪１７の基端側に後退した待機位置とに亘り、苗植付爪１７と平行又はほぼ平行にスライド操作される。苗押出し位置に操作されると、苗植付爪１７の先端部が保持している苗の根部を押出し操作部２８によって押圧して、苗を苗植付爪１７から押出し操作する。押出しロッド２７は、待機位置に操作されると、苗植付爪１７の先端部による苗取出し及び苗保持を可能にする。
【００２１】
従って、各苗植付機構９は、回転ケース１９が回転駆動されることにより、一対の植付アーム２１それぞれの苗植付爪１７の先端側が苗のせ台１５の下端側と圃場面との間を回動移動し、一対の植付アーム２１の苗植付爪１７が、交互に、苗のせ台１５に載置されたマット状苗の下端部から一部を植付苗として取出し、取出した植付苗を保持して圃場面に下降して植付け、植付後に上昇して苗のせ台１５の下端側に戻る苗植え運動を行なう。
【００２２】
移動操作機構２５について説明する。
移動操作機構２５には、苗押出し具２４を支持ケース２３から突出する側に付勢する押出しバネ２９（コイルバネの一例）と、押出しバネ２９に抗して苗押出し具２４を支持ケース２３に引き込むカム式駆動部３０（駆動機構の一例）とが備えられている。
【００２３】
支持ケース２３における後部側に外方に膨出する状態の筒形ケース部３１が設けられている。押出しバネ２９は、押出しロッド２７の基端側と筒形ケース部３１の膨出側端部３１ａとの間に介装した状態で筒形ケース部３１に内装されている。押出しバネ２９は、筒形ケース部３１の膨出側端部３１ａを反力点として苗押出しロッド２７のバネ受け部３２を押圧操作することにより、押出しロッド２７を苗押出し側にスライド操作する。
【００２４】
カム式駆動部３０は、回転ケース１９と植付アーム２１との相対回転に伴って作用する操作カム３３と、操作カム３３の作用によって揺動する揺動アーム３４とを備えている。揺動アーム３４は、支軸３５を介して植付アーム２１の左右の側壁部に揺動可能に支持されている。揺動アーム３４の先端部と押出しロッド２７とが連結部材３６によって連動連結されている。揺動アーム３４の基部から被操作アーム部３７が操作カム３３に向けて延出されている。被操作アーム部３７は、苗植付機構９の苗植運動に伴い、植付アーム２１がアーム回転軸芯Ｘ２まわりの回転ケース１９に対して揺動することにより、操作カム３３の周りを移動して操作カム３３のカム周面３３ａに位置したり、カム周面３３ａから外れたりする。
【００２５】
操作カム３３を相対回転不能に支持する支軸３８は、支持ケース２３に対して相対回転可能に支持されているが、一対の支軸３８が相対回転不能に連結されて、操作カム３３の植付アーム２１に対する回転が規制され、揺動アーム３４を操作カム３３によって揺動操作できるように構成されている。
【００２６】
従って、移動操作機構２５は、操作カム３３によって揺動操作される揺動アーム３４と、押出しバネ２９（コイルバネの一例）とにより、苗押出し具２４を苗押出し位置と待機位置とに亘ってスライド操作し、かつ苗押出し具２４を待機位置に維持操作する。
【００２７】
苗植付爪１７が苗植付をする際、植付アーム２１の回転ケース１９に対する自転のために被操作アーム部３７がカム周面３３ａから外れ、揺動アーム３４が操作カム３３による支持を受けないことにより、押出しバネ２９が揺動アーム３４を支軸３５のまわりに揺動操作しながら、苗押出し具２４を押出し位置にスライド操作する。
【００２８】
苗植付爪１７が苗植付を終えて上昇するに伴い、植付アーム２１の回転ケース１９に対する自転のために被操作アーム部３７がカム周面３３ａに乗り上がって揺動アーム３４が操作カム３３による揺動操作を受けることにより、揺動アーム３４が押出しロッド２７を押出しバネ２９に抗して待機位置に戻し操作する。
【００２９】
苗植付爪１７が苗植付を終えてから次の苗植付を行なうまでの間、被操作アーム部３７がカム周面３３ａに位置して操作カム３３が揺動アーム３４を押出しバネ２９に抗して揺動操作する状態を維持するので、揺動アーム３４が待機位置に維持される。尚、図中、符号４０は、押出しバネ２９により押されて苗押出し具２４が苗押出し位置に至ったときに、揺動アーム３４を受け止め保持する弾性体からなる受止め部材である。
【００３０】
〔苗取りゲージについて〕
苗植付爪１７が苗の取り出し作用する位置を調整するための苗取りゲージ４１について説明する。
苗取りゲージ４１は、苗植付爪１７が載置苗に対して取り出し作用を行う位置を調整するためのものである。図５に示すように、苗取りゲージ４１は、摺動レール４２に載置された状態で使用される。摺動レール４２は、苗のせ台１５に支持される植付苗の下端を支持する。そして、摺動レール４２の上下位\\置を変更調節することにより、苗取り量を変更調節することができる。
【００３１】
苗取りゲージ４１は、ブロック状に形成され、上側の面に上下途中部に段差４３が形成されている。この苗取りゲージ４１を植付苗が載置されていない摺動レール４２に対して載置した状態で、苗植付爪１７を相対的に上側から下方に移動させながら段差４３にあたるまで移動させたときの位置を適正位置に設定する。このように構成することで、位置変更動作と苗取りゲージ４１から目視で読み取る高さ計測処理とを繰り返し行い必要がなく、能率よく高さ調節を行える。
【００３２】
〔グリスの供給構成について〕
図４に示すように、支持ケース２３には、支持ケース２３の外方から内部に向けてグリスを注入するためのグリスニップル４４と、グリスの注入に伴って支持ケース２３の内部の空気を外方に排出する空気排出口４５とが備えられている。
【００３３】
空気排出口４５がグリスニップル４４の近傍に位置する状態で設けられ、空気排出口４５を塞ぐとともに、グリスニップル４４を外方側から覆う閉状態と、空気排出口４５を開放するとともに、グリスニップル４４を外方に向けて開放する開状態とに切り換え可能な蓋部材４６が備えられている。
【００３４】
説明を加えると、グリスニップル４４が、支持ケース２３のうち押出しバネ２９の一端部を受止める箇所、すなわち、支持ケース２３における筒形ケース部３１の膨出側端部３１ａに設けられている。グリスニップル４４から供給されるグリスがニップル支持部の内部を通り、押出しバネ２９に向けて供給されるように案内される。
【００３５】
膨出側端部３１ａにおけるグリスニップル４４の近傍に位置する状態で空気排出口４５が形成されている。そして、カム式駆動部３０に対応する内部空間から空気排出口４５に向けて延びる状態で空気通流路４８が形成されている。
【００３６】
グリスニップル４４からグリスが供給されると、グリスは、押出しバネ２９の配設部に相当する箇所の内部を通過したのち、カム式駆動部３０の配設部に相当する内部空間、及び、空気通流路４８を通り、空気排出口４５に向けて流動していくことになる。従って、内側筒状部４７の内部、押出しバネ２９の配設部、カム式駆動部３０の配設部、及び尾、空気通流路４８に連なる状態で、空気排出口４５に至る空気抜き経路Ｑが形成されている。
【００３７】
支持ケース２３における膨出側端部３１ａの外方側を覆う閉状態と、膨出側端部３１ａの外方側を開放する開状態とに切り換え可能な蓋部材４６が備えられている。蓋部材４６は、図４に示すように、閉状態では、空気排出口４５を塞ぐとともに、グリスニップル４４を外方側から覆う状態となる。図示はしていないが、開状態では、空気排出口４５を開放するとともに、グリスニップル４４を外方に向けて開放する状態となるように構成されている。蓋部材４６は、ネジ込み装着あるいは、弾性変形による嵌め込み装着等、種々の形状で装着することができる。
【００３８】
グリスを供給するときは蓋部材４６を外して開状態とする。このことにより、グリスの供給を良好に行える。グリス供給が終了したのちは、蓋部材４６を装着して閉状態に切り換えることにより、通常作業時のグリスの漏れ等を防止できる。
【００３９】
〔別実施形態〕
（１）上記実施形態では、グリスニップル４４が、支持ケース２３のうち押出しバネ２９の一端部を受止める箇所に設けられる構成としたが、この構成に代えて、グリスニップル４４の設置位置は、適宜変更して実施してもよい。
【００４０】
（２）上記実施形態では、支持ケース２３の内部に、グリスニップル４４から押出しバネ２９の配設部並びにカム式駆動部３０の配設部を通過して空気排出口４５に至るように空気抜き経路Ｑが形成されるものを示したが、このような構成に限らず、空気抜き経路Ｑは適宜変更して形成することができる。
【００４１】
（３）上記実施形態では、乗用型田植機における苗植付機構について記載したが、歩行型田植機における苗植付機構に適用するものでもよい。
【産業上の利用可能性】
【００４２】
本発明は、田植機の苗植付装置に適用できる。
【符号の説明】
【００４３】
１７        苗植付爪
２３        支持ケース
２４        苗押出し具
２５        移動操作機構
２９        コイルバネ
３０        駆動機構
４４        グリスニップル
４５        空気排出口
４６        蓋部材
Ｑ          空気抜き経路
【図１】
2020202804.tif 000003
【図２】
2020202804.tif 000004
【図３】
2020202804.tif 000005
【図４】
2020202804.tif 000006
【図５】
2020202804.tif 000007